(57)【要約】【課題】高効率スイッチド利得パワー増幅器【解決手段】駆動増幅器と、スイッチと、帯域通過フィルタ及びパワー増幅器を有する増幅経路と、余分の利得と出力パワーが必要ない場合にパワー増幅器をバイパスするバイパス経路と、を含むパワー増幅回路装置である。起動増幅器からのＲＦアナログ信号は、増幅経路にスイッチングされると、帯域通過フィルタリングされて増幅される。次に、この信号は同相信号と直交位相信号に分割される。同相信号と直交位相信号のどちらかが、反転されてこれら信号の他方と加算され、加算された信号が出力ポートに送信される。駆動増幅器からのＲＦ信号がバイパス経路にスイッチングされると、パワー増幅器はオフされて、バイパス経路が、その信号を、この信号にとっては高インピーダンスとして作用するパワー増幅器の出力に方向付けする。信号はパワー増幅器から出力ポートに反射される。【選択図】図１
2010183641.tif 000002
【特許請求の範囲】
【請求項１】
入力と出力を有するパワー増幅器と、
ＲＦ入力ポートと、
ＲＦ出力ポートと、
バイパスネットワークを介して前記パワー増幅器をバイパスする手段と、
ＲＦ信号を前記ＲＦ入力ポートから前記バイパスネットワークと前記入力間を通って前記増幅器にスイッチングする手段と、
前記バイパスネットワークと、前記パワー増幅器の出力と、前記ＲＦ出力と、を接続するサーキュレータであり、前記接続によって、前記バイパスネットワークから前記サーキュレータに入力された前記ＲＦ信号が、前記パワー増幅器の出力にルーティングされ、前記パワー増幅器出力から前記サーキュレータに入力された前記ＲＦ信号が、前記ＲＦ出力ポートにルーティングされる、サーキュレータ、
を備えるパワー増幅回路装置。
【請求項２】
前記パワー増幅器のパワーがオフすると、前記第１のスイッチング手段が、前記ＲＦ信号を前記バイパスネットワークに対して、前記ＲＦ信号が、前記パワー増幅器をバイパスし、前記サーキュレータ中をルーティングして前記パワー増幅器出力に向かい、前記パワー増幅器によって反射されて、前記サーキュレータ中をルーティングして前記ＲＦ出力ポートに到達するように、スイッチングする、請求項１に記載のパワー増幅回路装置。
【請求項３】
前記バイパスネットワークが、バイパス経路と、減衰経路と、前記バイパス経路と前記減衰経路間をスイッチングする第２の手段と、を含む、請求項１に記載のパワー増幅回路装置。
【請求項４】
前記減衰経路が、利得段階の提供にフレキシビリティを与えるためにグランドに接続された外部抵抗を含む、請求項３に記載のパワー増幅回路装置。
【請求項５】
前記パワー増幅器のパワーがオフして、前記第１のスイッチング手段が前記ＲＦ入力ポートを前記バイパスネットワークに接続し、また、前記第１のスイッチング手段が前記バイパス経路にスイッチングすると、前記ＲＦ信号が前記バイパス経路を通過して、前記サーキュレータ中をルーティングして前記パワー増幅器の出力に向かい、前記パワー増幅器によって反射されて、前記サーキュレータ中をルーティングして前記ＲＦ出力ポートに到達する、請求項３に記載のパワー増幅回路装置。
【請求項６】
前記パワー増幅器のパワーがオフして前記第１のスイッチング手段が前記ＲＦ入力ポートを前記バイパスネットワークに接続し、また、前記第２のスイッチング手段が前記減衰経路にスイッチングすると、前記ＲＦ信号が、前記減衰経路を通過して、前記サーキュレータ中をルーティングして前記パワー増幅器に向かい、前記パワー増幅器によって反射されて、前記サーキュレータ中をルーティングして前記ＲＦ出力ポートに到達する、請求項３に記載のパワー増幅回路装置。
【請求項７】
前記パワー増幅器のパワーがオンして前記第１のスイッチング手段が前記ＲＦ入力ポートを前記パワー増幅器の入力に接続すると、前記第２のスイッチング手段が、前記減衰経路を前記サーキュレータにスイッチングして、逆アイソレーションを最小化し、また、発振から保護する、請求項４に記載のパワー増幅回路装置。
【請求項８】
前記外部抵抗が、利得調整用の可変抵抗である、請求項４に記載のパワー増幅回路装置。
【請求項９】
ＲＦ入力ポート及びＲＦ出力ポートと、バイパスネットワークと、前記バイパスネットワークに接続されたサーキュレータと、前記パワー増幅器の出力と、前記ＲＦ出力とを持つパワー増幅回路において、動的範囲を最大化する方法において、
前記パワー増幅器のパワーをオフする工程と、
ＲＦ信号を前記ＲＦ入力ポートから前記バイパスネットワークにスイッチングする工程と、
前記ＲＦ信号を前記バイパスネットワークから前記サーキュレータを介して前記パワー増幅器に向けてルーティングする工程と、
前記パワー増幅器に入射される前記ＲＦ信号のかなりの部分を前記サーキュレータに反射して戻す工程と、
前記反射したＲＦ信号を前記サーキュレータを介して前記ＲＦ出力ポートにルーティングする工程と、
を含む動的範囲を最大化する方法。
【請求項１０】
ＲＦアナログ信号を送信する駆動増幅器と、
前記ＲＦ信号をバイパス経路と増幅経路間でスイッチングする第１の手段と、
前記ＲＦアナログ信号をフィルタリングしてフィルタリング済み信号を発生する、前記増幅経路上に置かれた帯域通過フィルタと、
前記フィルタリング済み信号を増幅して増幅済み信号を発生する、前記増幅経路上に置かれたパワー増幅器と、
前記増幅済み信号をＲＦ出力ポートにルーティングするサーキュレータであって、前記第１のスイッチング手段が前記バイパス経路にスイッチングすると、前記バイパス経路が前記駆動増幅器の出力を前記サーキュレータに接続し、この場合、前記バイパス経路が、前記サーキュレータに対して、前記バイパス経路から前記サーキュレータに対する前記ＲＦアナログ信号入力が前記パワー増幅器にルーティングされるように接続する、サーキュレータと、
前記バイパス経路上に置かれた第２のスイッチング手段であり、前記第２のスイッチング手段が、接続部を、前記バイパス経路とグランド間にある前記サーキュレータに対して抵抗を介してスイッチングし、これによって、前記第２のスイッチング手段がグランドに接続すると、前記ＲＦ出力ポートの方向から後出の回路に復帰したパワーがグランドにルーティングされて、後出のパワー増幅回路装置を隔離する、第２のスイッチング手段と、
を備えるパワー増幅回路装置。
【請求項１１】
ＲＦアナログ信号を送信する駆動増幅器と、
前記ＲＦアナログ信号をフィルタリングしてフィルタリング済み信号を発生するように置かれた帯域通過フィルタと、
前記フィルタリング済み信号をバイパス経路と増幅経路間でスイッチングする第１の手段と、
前記フィルタリング済み信号を増幅して増幅済み信号を発生する、前記増幅経路上に置かれたパワー増幅器と、
前記増幅済み信号をＲＦ出力ポートにルーティングするサーキュレータであって、前記第１のスイッチング手段が前記バイパス経路に接続すると、前記バイパス経路が前記帯域通過フィルタの出力を前記サーキュレータに接続し、この場合、前記前記バイパス経路が前記サーキュレータに対して、前記バイパス経路からの前記サーキュレータに対する前記フィルタリング済み信号入力が前記パワー増幅器にルーティングされるように接続する、サーキュレータと、
前記バイパス経路上に置かれた第２のスイッチング手段であり、前記第２のスイッチング手段が、接続部を、前記バイパス経路とグランド間にある前記サーキュレータに抵抗を介してスイッチングし、これによって、前記第２のスイッチング手段がグランドに接続すると、前記ＲＦ出力ポートの方向から後出の回路に復帰したパワーがグランドにルーティングされて後出のパワー増幅回路装置を隔離する、第２のスイッチング手段と、
を備えるパワー増幅回路装置。
【請求項１２】
前記第１と第２のスイッチング手段を制御する手段をさらに備える、請求項１１に記載のパワー増幅回路装置。
【請求項１３】
前記抵抗が約５０オームである、請求項１１に記載のパワー増幅回路装置。
【請求項１４】
前記第１のスイッチング手段が前記バイパス経路にスイッチングすると、前記パワー増幅器のパワーがオフされる、請求項１０に記載のパワー増幅回路装置。
【請求項１５】
前記第１のスイッチング手段が前記バイパス経路にスイッチングすると、前記パワー増幅器のパワーがオフされる、請求項１１に記載のパワー増幅回路装置。
【請求項１６】
アナログ信号を送信する駆動増幅器と、
前記アナログ信号をバイパス経路と増幅経路間で選択的にスイッチングする第１のスイッチと、を有するパワー増幅回路装置であって、
前記増幅経路が、
前記アナログ信号をフィルタリングして、フィルタリング済み信号を発生する帯域通過フィルタと、
前記フィルタリング済み信号を受信して、増幅済み信号を発生するパワー増幅器と、
前記増幅済み信号を同相信号と直交位相信号に分割する第１のハイブリッド回路と、
前記同相信号を反転させて反転済み信号を発生し、また、前記反転済み信号と前記直交位相信号を加算して加算済み信号を発生する第２のハイブリッド回路と、
を含み、
前記第１のスイッチが前記アナログ信号を前記バイパス経路にスイッチングすると、前記バイパス経路が、前記駆動増幅器の出力を前記第２のハイブリッド回路の隔離されたポートと接続し、これによって、前記駆動増幅器から送信された前記アナログ信号が前記パワー増幅器から反射され、出力ポートにルーティングされる、
パワー増幅回路装置。
【請求項１７】
前記バイパス経路上に置かれた第２のスイッチと、
前記第２のスイッチの極に接続された終端抵抗と、
をさらに備え、
前記第２のスイッチが、前記第２のハイブリッド回路の前記隔離されたポートを前記第１のスイッチ又は前記終端抵抗のどちらかと選択的に接続する、請求項１６に記載のパワー増幅回路装置。
【請求項１８】
前記アナログ信号が、無線周波数アナログ信号である、請求項１６に記載のパワー増幅回路装置。
【請求項１９】
前記パワー増幅器がオフされると、前記第１のスイッチが、前記アナログ信号を前記バイパス経路に接続する、請求項１６に記載のパワー増幅回路装置。
【請求項２０】
アナログ信号を送信する駆動増幅器と、
前記アナログ信号を、バイパス経路と増幅経路間で選択的にスイッチングする第１のスイッチとを有するパワー増幅回路装置であって、
前記増幅経路が、
前記アナログ信号をフィルタリングして、フィルタリング済み信号を発生する帯域通過フィルタと、
前記フィルタリング済み信号を受信して、増幅済み信号を発生するパワー増幅器と、
前記増幅済み信号を同相信号と直交位相信号に分割する第１のハイブリッド回路と、
前記直交位相信号を反転させて反転済み信号を発生し、また、前記反転済み信号と前記同相信号を加算して加算済み信号を発生する第２のハイブリッド回路と、を含み、
前記第１のスイッチが、前記アナログ信号を前記バイパス経路にスイッチングすると、前記バイパス経路が、前記駆動増幅器の出力を前記第２のハイブリッド回路の隔離されたポートと接続し、これによって、前記駆動増幅器に送信された前記アナログ信号が前記パワー増幅器から反射されて出力ポートにルーティングされる、
パワー増幅器回路装置。
【請求項２１】
前記バイパス経路上に置かれた第２のスイッチと、
前記第２のスイッチの極に接続された終端抵抗と、
をさらに備え、
前記第２のスイッチが、前記第２のハイブリッド回路の隔離済みポートを、前記第１のスイッチ又は前記終端抵抗と選択的に接続する、請求項５に記載のパワー増幅回路装置。
【請求項２２】
前記アナログ信号が無線周波数アナログ信号である、請求項５に記載のパワー増幅回路装置。
【請求項２３】
前記パワー増幅器がオフされると、前記第１のスイッチが、前記アナログ信号を前記バイパス経路にスイッチングする、請求項５に記載のパワー増幅回路装置。
【請求項２４】
駆動増幅器と、第１のスイッチを含む増幅経路と、帯域通過フィルタと、パワー増幅器と、第１のハイブリッド回路及び第２のハイブリッド回路と、前記第２のハイブリッド回路の隔離されたポートを前記第１のスイッチに接続するバイパス経路と、を有する回路内の信号増幅方法において、
（Ａ）前記駆動増幅器から駆動信号を発生する工程と、
（Ｂ）前記駆動信号を、前記増幅経路と前記バイパス経路間で前記第１のスイッチを用いて選択的にスイッチングする工程と、を含み、
前記駆動信号が前記スイッチング工程で、前記増幅経路にスイッチングされると、前記方法が、
（ａ）前記帯域追加フィルタによって前記駆動信号を帯域通過フィルタリングして、フィルタリング済み信号を発生する工程と、
（ｂ）前記フィルタリング済み信号を前記パワー増幅器で増幅して、増幅済み信号を発生する工程と、
（ｃ）前記増幅済み信号を、前記第１のハイブリッド回路内で同相信号と直交位相信号に分割する工程と、
（ｄ）前記同相信号を、前記第２のハイブリッド回路内で反転させて反転済み信号を発生する工程と、
（ｅ）前記反転済み信号と前記直交位相信号を加算して、前記第２のハイブリッド回路内で加算済み信号を発生する工程と、をさらに含み、
前記駆動信号が前記スイッチング工程で前記バイパス経路にスイッチングされると、前記方法が、
（ａ）前記パワー増幅器をオフする工程と、
（ｂ）前記駆動信号を前記第２のハイブリッド回路の隔離済みポートに送信する工程と、
（ｃ）前記駆動信号を前記パワー増幅器の出力から出力ポートに反射する工程と、をさらに含む；
信号増幅方法。
【請求項２５】
前記回路が、前記バイパス経路上に置かれた第２のスイッチをさらに備え、前記方法が、
前記第２のスイッチを、前記第２のハイブリッド回路の隔離済みポートを終端抵抗に接続するか又は前記第２のハイブリッド回路の隔離済みポートを前記第１のスイッチに接続するか、するように選択的にスイッチングする工程をさらに含む、請求項９に記載の方法。
【請求項２６】
前記駆動信号が無線周波数アナログ信号である、請求項９に記載の方法。
【請求項２７】
駆動増幅器と、第１のスイッチを含む増幅経路と、帯域通過フィルタと、パワー増幅器と、第１のハイブリッド回路及び第２のハイブリッド回路と、前記第２のハイブリッド回路の隔離済みポートを前記第１のスイッチに接続するバイパス経路と、を有する回路内で信号を増幅する方法において、前記方法が、
（Ａ）前記駆動増幅器から駆動信号を発生する工程と、
（Ｂ）前記駆動信号を前記増幅経路と前記バイパス経路間で前記第１のスイッチを用いて選択的にスイッチングする工程と、を含み、
前記駆動信号が前記スイッチング工程で前記増幅経路にスイッチングされると、前記方法が、
（ａ）前記信号を前記帯域通過フィルタによって帯域通過フィルタリングして、フィルタリング済み信号を発生する工程と、
（ｂ）前記フィルタリング済み信号を前記パワー増幅器で増幅して、増幅済み信号を発生する工程と、
（ｃ）前記増幅済み信号を、前記第１のハイブリッド回路内で同相信号を直交位相信号に分割する工程と、
（ｄ）前記第２のハイブリッド回路内で前記同相信号を反転させて反転済み信号を発生する工程と、
（ｅ）前記第２のハイブリッド回路内で前記反転済み信号と前記直交位相信号を加算して加算済み信号を発生する工程と、をさらに含み、
前記駆動信号が前記スイッチング工程で前記バイパス経路にスイッチングされると、前記方法が、
（ａ）前記パワー増幅器をオフする工程と、
（ｂ）前記駆動信号を前記第２のハイブリッド回路の隔離済みポートに送信する工程と、
（ｃ）前記駆動信号を前記パワー増幅器の出力から出力ポートに反射させる工程と、
をさらに含む信号増幅方法。
【請求項２８】
前記回路が、前記バイパス経路上に置かれた第２のスイッチをさらに含み、前記方法が、
前記第２のスイッチを、前記第２のハイブリッド回路の隔離済みポートを終端抵抗に接続するか又は前記第２のハイブリッド回路の隔離済みポートを前記第１のスイッチに接続するか、するように選択的にスイッチングする工程をさらに含む、請求項１２に記載の方法。
【請求項２９】
前記駆動信号が無線周波数アナログ信号である、請求項１２に記載の方法。
【請求項３０】
アナログ信号を送信する駆動増幅器と、
前記アナログ信号をバイパス経路と増幅経路間でスイッチングする第１のスイッチとを有するパワー増幅回路装置において、
前記増幅経路が、
前記アナログ信号をフィルタリングしてフィルタリング済み信号を発生する帯域通過フィルタと、
前記フィルタリング済み信号を同相信号と直交位相信号に分割する第１のハイブリッド回路と、
前記同相信号を増幅して第１の増幅済み信号を発生する第１のパワー増幅器と、
前記直交位相信号を増幅して第２の増幅済み信号を発生する第２のパワー増幅器と、
前記第１の増幅済み信号を反転させて反転済み信号を発生し、また、前記反転済み信号と前記第２の増幅済み信号を加算する第２のハイブリッド回路と、を含み、
前記第１のスイッチが前記アナログ信号を前記バイパス経路にスイッチングすると、前記バイパス経路が、前記駆動増幅器の出力を前記第２のハイブリッド回路の隔離済みポートに接続する、
パワー増幅回路装置。
【請求項３１】
アナログ信号を送信する駆動増幅器と、
前記アナログ信号をバイパス経路と増幅経路間でスイッチングする第１のスイッチとを有するパワー増幅回路装置において、
前記増幅経路が、
前記アナログ信号をフィルタリングしてフィルタリング済み信号を発生する帯域通過フィルタと、
前記フィルタリング済み信号を同相信号と直交位相信号に分割する第１のハイブリッド回路と、
前記同相信号を増幅して第１の増幅済み信号を発生する第１のパワー増幅器と、
前記直交位相信号を増幅して第２の増幅済み信号を発生する第２のパワー増幅器と、
前記第２の増幅済み信号を反転させて反転済み信号を発生し、また、前記反転済み信号と前記第１の増幅済み信号を加算する第２のハイブリッド回路と、を含み、
前記第１のスイッチが前記アナログ信号を前記バイパス経路にスイッチングすると、前記バイパス経路が、前記駆動増幅器の出力を前記第２のハイブリッド回路の隔離済みポートに接続する、
パワー増幅回路装置。
【請求項３２】
前記アナログ信号が無線周波数アナログ信号である、請求項１５に記載のパワー増幅回路装置。
【請求項３３】
前記アナログ信号が無線周波数アナログ信号である、請求項１６に記載のパワー増幅回路装置。
【請求項３４】
前記パワー増幅器がオフされると、前記スイッチが前記バイパス経路にスイッチングする、請求項１５に記載のパワー増幅回路装置。
【請求項３５】
前記パワー増幅器がオフされると、前記スイッチが前記バイパス経路にスイッチングする、請求項１６に記載のパワー増幅回路装置。
【請求項３６】
前記バイパス経路上に置かれた第２のスイッチと、
前記第２のスイッチの極に接続された終端抵抗と、をさらに備え、
前記第２のスイッチが、前記第２のハイブリッド回路の隔離済みポートを、前記第１のスイッチか前記終端抵抗に選択的に接続する、請求項１５に記載のパワー増幅回路装置。
【請求項３７】
前記バイパス経路上に置かれた第２のスイッチと、
前記第２のスイッチの極に接続された終端抵抗と、をさらに備え、
前記第２のスイッチが、前記第２のハイブリッド回路の隔離済みポートを、前記第１のスイッチか前記終端抵抗に選択的に接続する、請求項１６に記載のパワー増幅回路装置。
【請求項３８】
前記第１のパワー増幅器と前記第２のハイブリッド回路間に置かれた第１の分流スイッチと、
前記第２のパワー増幅器と前記第２のハイブリッド回路間に置かれた第２の分流スイッチと、をさらに備え、
前記バイパス経路を用いる場合、前記第１と第２の分流スイッチを用いて、それぞれ前記第１と第２のパワー増幅器の出力を分流させる、請求項１５に記載のパワー増幅回路装置。
【請求項３９】
前記第１のパワー増幅器と前記第２のハイブリッド回路間に置かれた第１の分流スイッチと、
前記第２のパワー増幅器と前記第２のハイブリッド回路間に置かれた第２の分流スイッチと、をさらに備え、
前記バイパス経路を用いる場合、前記第１と第２の分流スイッチを用いて、それぞれ前記第１と第２のパワー増幅器の出力を分流させる、請求項１６に記載のパワー増幅回路装置。
【請求項４０】
駆動増幅器と、第１のスイッチを含む増幅経路と、帯域通過フィルタと、第１のパワー増幅器と、第２のパワー増幅器と、第１のハイブリッド回路及び第２のハイブリッド回路と、前記第２のハイブリッド回路の隔離済みポートを前記第１のスイッチに接続するバイパス経路と、を有する回路内で信号を増幅する方法において、前記方法が、
（Ａ）前記駆動増幅器から駆動信号を発生する工程と、
（Ｂ）前記駆動信号を前記増幅経路と前記バイパス経路間で前記第１のスイッチを用いて選択的にスイッチングする工程と、を含み、
前記駆動信号が前記スイッチング工程で前記増幅経路にスイッチングされると、前記方法が、
（ａ）前記信号を前記帯域通過フィルタによって帯域通過フィルタリングして、フィルタリング済み信号を発生する工程と、
（ｂ）前記フィルタリング済み信号を前記第１のハイブリッド回路内で同相信号を直交位相信号に分割する工程と、
（ｃ）前記同相信号を前記第１のパワー増幅器で増幅して増幅済み同相信号を発生する工程と、
（ｄ）前記第２のパワー増幅器によって前記直交位相信号を増幅して増幅済み直交位相信号を発生する工程と、
（ｅ）前記増幅済み同相信号を前記第２のハイブリッド回路内で反転させて反転済み信号を発生する工程と、
（ｄ）前記反転済み信号と前記増幅済み直交信号を前記第２のハイブリッド回路内で加算して加算済み信号を発生する工程とを含み、
前記駆動信号が前記スイッチング工程で前記バイパス経路にスイッチングされると、前記方法が、
（ａ）前記第１のパワー増幅器と前記第２のパワー増幅器をオフする工程と、
（ｂ）前記駆動信号を前記第２のハイブリッド回路の隔離済みポートに送信する工程と、
（ｃ）前記駆動信号を同相信号と直交位相信号に前記第２のハイブリッド回路内で分割する工程と、
（ｄ）前記同相信号を前記第１の増幅済み信号から反射させる工程と、
（ｅ）前記直交位相信号を前記第２のパワー増幅器から反射させる工程と、
（ｆ）前記反射済み同相信号を前記第２のハイブリッド回路内で反転させて反転済み信号を発生する工程と、
（ｇ）前記反転済み信号と前記直交位相信号を前記第２のハイブリッド回路内で加算して加算済み信号を発生する工程と、
（ｈ）前記加算済み信号を出力ポートに出力する工程と、をさらに含む、
信号増幅方法。
【請求項４１】
駆動増幅器と、第１のスイッチを含む増幅経路と、帯域通過フィルタと、第１のパワー増幅器と、第２のパワー増幅器と、第１のハイブリッド回路及び第２のハイブリッド回路と、前記第２のハイブリッド回路の隔離済みポートを前記第１のスイッチに接続するバイパス経路と、を有する回路内で信号を増幅する方法において、前記方法が、
（Ａ）前記駆動増幅器から駆動信号を発生する工程と、
（Ｂ）前記駆動信号を前記増幅経路と前記バイパス経路間で前記第１のスイッチを用いて選択的にスイッチングする工程とを含み、
前記駆動信号が前記スイッチング工程で前記増幅経路にスイッチングされると、前記方法が、
（ａ）前記信号を前記帯域通過フィルタによって帯域通過フィルタリングして、フィルタリング済み信号を発生する工程と、
（ｂ）前記フィルタリング済み信号を前記第１のハイブリッド回路内で同相信号を直交位相信号に分割する工程と、
（ｃ）前記同相信号を前記第１のパワー増幅器で増幅して増幅済み同相信号を発生する工程と、
（ｄ）前記第２のパワー増幅器によって前記直交位相信号を増幅して増幅済み直交位相信号を発生する工程と、
（ｅ）前記増幅済み直交位相信号を前記第２のハイブリッド回路内で反転させて反転済み信号を発生する工程と、
（ｄ）前記反転済み信号と前記増幅済み同相信号を前記第２のハイブリッド回路内で加算して加算済み信号を発生する工程とを含み、
前記駆動信号が前記スイッチング工程で前記バイパス経路にスイッチングされると、前記方法が、
（ａ）前記第１のパワー増幅器と前記第２のパワー増幅器をオフする工程と、
（ｂ）前記駆動信号を前記第２のハイブリッド回路の隔離済みポートに送信する工程と、
（ｃ）前記駆動信号を同相信号と直交位相信号に前記第２のハイブリッド回路内で分割する工程と、
（ｄ）前記同相信号を前記第１の増幅済み信号から反射させる工程と、
（ｅ）前記直交位相信号を前記第２のパワー増幅器から反射させる工程と、
（ｆ）前記反射済み直交位相信号を前記第２のハイブリッド回路内で反転させて反転済み信号を発生する工程と、
（ｇ）前記反転済み信号と前記同相位相信号を前記第２のハイブリッド回路内で加算して加算済み信号を発生する工程と、
（ｈ）前記加算済み信号を出力ポートに出力する工程とをさらに含む、
信号増幅方法。
【請求項４２】
前記駆動信号が無線周波数アナログ信号である、請求項２５に記載の信号増幅方法。
【請求項４３】
前記駆動信号が無線周波数アナログ信号である、請求項２６に記載の信号増幅方法。
【請求項４４】
前記回路が、前記バイパス経路上に置かれた第２のスイッチをさらに備え、前記方法が、
前記第２のスイッチを、前記第２のハイブリッド回路の隔離済みポートを終端抵抗に接続するか又は前記第２のハイブリッド回路の隔離済みポートを前記第１のスイッチに接続するか、させるように選択的にスイッチングする工程を、さらに含む、請求項２５に記載の信号増幅方法。
【請求項４５】
前記回路が、前記バイパス経路上に置かれた第２のスイッチをさらに備え、前記方法が、
前記第２のスイッチを、前記第２のハイブリッド回路の隔離済みポートを終端抵抗に接続するか又は前記第２のハイブリッド回路の隔離済みポートを前記第１のスイッチに接続するか、させるように選択的にスイッチングする工程を、さらに含む、請求項２６に記載の信号増幅方法。
【請求項４６】
電源と、ディジタルプロセッサと、受信チェーンと、送信チェーンと、送受切換器と、アンテナと、ユーザーインタフェース手段と、を有するモバイル通信ユニットであり、
前記モバイル通信ユニットが、前記送信チェーンにあるパワー増幅回路装置であり、
前記パワー増幅回路装置が、
アナログ信号を送信する駆動増幅器と、
前記アナログ信号をバイパス経路と増幅経路間で選択的にスイッチングする第１のスイッチとを有し、
前記増幅経路が、
前記アナログ信号をフィルタリングしてフィルタリング済み信号を発生する帯域通過フィルタと、
前記フィルタリング済み信号を受信して増幅済み信号を発生するパワー僧服器と、
前記増幅済み信号を同相信号と直交位相信号に分割する第１のハイブリッド回路と、
前記同相信号を反転させて反転済み信号を発生し、また、前記反転済み信号と前記直交位相信号を加算して加算済み信号を発生する第２のハイブリッド回路と、を含み、
前記第１のスイッチが前記アナログ信号を前記バイパス経路に接続すると、前記バイパス経路が前記駆動増幅器の出力を前記第２のハイブリッド回路の隔離済みポートと接続し、これによって、前記駆動増幅器から送信された前記アナログ信号が前記パワー増幅器から反射されて出力ポートにルーティングされる、
モバイル通信ユニット。
【請求項４７】
前記パワー増幅回路装置が、
前記バイパス経路上に置かれた第２のスイッチと、
前記第２のスイッチの極に接続された終端抵抗と、をさらに備え、
前記第２のスイッチが、前記第２のハイブリッド回路の隔離済みポートを、前記第１のスイッチ又は前記終端抵抗と選択的に接続する、請求項４６に記載のモバイル通信ユニット。
【請求項４８】
前記パワー増幅器がオフすると、前記第１のスイッチが前記アナログ信号を前記バイパス経路にスイッチングする、請求項４６に記載のモバイル通信ユニット。
【請求項４９】
電源と、ディジタルプロセッサと、受信チェーンと、送信チェーンと、送受切換器と、アンテナと、ユーザーインタフェース手段と、を有するモバイル通信ユニットにおいて、前記モバイル通信ユニットが、
前記送信チェーンにあるパワー増幅回路装置であり、
前記パワー増幅回路装置が、
アナログ信号を送信する駆動増幅器と、
前記アナログ信号をバイパス経路と増幅経路間で選択的にスイッチングする第１のスイッチを有し、
前記増幅経路が、
前記アナログ信号をフィルタリングしてフィルタリング済み信号を発生する帯域通過フィルタと、
前記フィルタリング済み信号を同相信号と直交位相信号に分割する第１のハイブリッド回路と、
前記同相信号を増幅して第１の増幅済み信号を発生する第１のパワー増幅器と、
前記直交位相信号を増幅して第２の増幅済み信号を発生する第２の増幅器と、
前記第１の増幅済み信号を反転させて反転済み信号を発生し、また、前記反転済み信号と前記第２の増幅済み信号を加算する第２のハイブリッド回路と、を含み、
前記第１のスイッチが前記アナログ信号を前記バイパス経路にスイッチングすると、前記バイパス経路が前記駆動増幅器の出力と前記第２のハイブリッド回路の隔離済みポートを接続する、モバイル通信ユニット。
【請求項５０】
前記パワー増幅回路装置が、
前記バイパス経路上に置かれた第２のスイッチと、
前記第２のスイッチの極に接続された終端抵抗と、をさらに含み、
前記第２のスイッチが、前記第２のハイブリッド回路の隔離済みポートを前記第１のスイッチ又は前記終端抵抗に選択的に接続する、請求項４９に記載のモバイル通信ユニット。
【請求項５１】
前記パワー増幅回路装置が、
前記第１のパワー増幅器と前記第２のハイブリッド間に置かれた第１の分流スイッチと、
前記第２のパワー増幅器と前記第２のハイブリッド回路間に置かれた第２の分流スイッチと、をさらに備え、
前記バイパス経路を用いる場合、前記第１と第２の分流スイッチを用いて、それぞれ前記第１と第２のパワー増幅器の出力を分流させる、請求項４９に記載のモバイル通信ユニット。
【発明の詳細な説明】
【技術分野】
【０００１】
本発明は、一般的にはパワー増幅器のためのパワー利得制御に関し、より特定的には、ＣＤＭＡなどの無線通信装置に関する。
【背景技術】
【０００２】
符号分割多重アクセス方式（ＣＤＭＡ）やあらゆる時分割多重アクセス方式（ＴＤＭＡ）の技術を含む大抵の携帯通信システムなどの電子環境の多くにおいて、モバイルユニットから出力されたＲＦパワーは広範囲の動的範囲で変動する。ＣＤＭＡ無線電話システムでは、複数の信号が同じ周波数で同時に送信される。これらの信号は、別々のディジタルコードで拡散されて、意図しない信号が受信機では雑音や干渉として顕れながらも、所望の信号を検出することができる。スペクトル拡散システムでは幾分かの干渉が許容されており、新たな各モバイル局によって付加された干渉によって、各セルサイトにおける全体的な干渉が増す。モバイル局は各々が固有の干渉レベルを導入するが、この干渉は、セルサイトにおける自身の受信したパワーレベルによって異なる。
【０００３】
ＣＤＭＡシステムはパワー制御を利用して、相互干渉を最小化する。正確なパワー制御は、システムの全体的干渉に寄与する過度の送信機信号パワーを避けるためには重要である。個別のモバイル局のパワーは、モバイル局と基地局間の距離及びその基地局又はセクターにおける他の加入者モバイル局の数によって変化する。
【０００４】
一般的な携帯無線ユニットにおいては、パワー増幅器は、低送信機パワーの期間中の電力消費を抑えるためにバイアス等級ＡＢであるが、それでも電力は消費され続ける。一般的には、アイソレータを用いて、パワー増幅器を、後続段の付加インピーダンスの影響からパワー増幅器を隔離する。連続的なバッテリのドローを避ける１つの方法は、スイッチで増幅器をバイパスして、次にＤＣパワーを増幅器から除去する手段を用いることである。この方法を図７に示す。パワー増幅回路８が、パワー増幅器３２とアイソレータ５５を持っているところが示されている。増幅されるＲＦ信号を有するＲＦ入力１２は、第１のスイッチ２０の極に接続されている。増幅器がオンの場合、スイッチ２０がＲＦ入力１２を経路２８を介してパワー増幅器３２の入力に接続する。ＲＦ信号は、増幅されてアイソレータ５５に出力され、次に、第２のスイッチ４２を介してパワー増幅回路８のＲＦ出力５４に送信される。パワー増幅器３２をバイパスするために、第１のスイッチ２０は、ＲＦ入力１２をバイパス経路３０に接続し、第２のスイッチ４２はその信号をＲＦ出力５４に送信する。この技法の欠点は、より高い送信パワーが必要とされるときに、付加されたスイッチング損失を増幅器が克服しなければならないという点である。これは、バイパスの恩典をうち消してしまう傾向がある。さらに、スイッチとアイソレータを用いるためにさらに動作パワーを必要とし、構成する経費が高くなる。
【０００５】
図６に、従来技術によるパワー増幅回路を示す。アナログ信号が駆動増幅器２８０から帯域通過フィルタ２９８を介して第１のスイッチ２０に供給される。スイッチ２０は、バイパス経路３０と増幅経路２８間を交番するが、この場合、パワー増幅器３２が信号を増幅する。第２のスイッチ４２は、アナログ信号を、バイパス経路３０又は増幅器３２の出力からサーキュレータ５５に接続し、このサーキュレータ５５が信号をＲＦ出力ポート５４にルーティングする。
【発明の概要】
【０００６】
パワーをより貯蔵できてしかも複雑及び高価でなくてアイソレータをもっと利用することによって組み立てることができ、それによってパワー増幅器の後に配置された第２スイッチを取り除くことができるパワー増幅回路が当技術に必要である。
【０００７】
本発明の目的は、バイパスネットワークのための合成メカニズムのようなアイソレータの終端ポート、パワー増幅器出力及びＲＦ出力ポートを用いることによってパワー増幅器利用の効率を高めることである。この構成によって出力スイッチは不要になる。
【０００８】
本発明の目的は、必要部品が少なくまた組み立てるのに複雑でない改良されたパワー増幅器を提供することである。
【０００９】
本発明のさらに別の目的は、組み立てる費用がより少ない改良されたパワー増幅器を提供することである。
【００１０】
これらの目的及び他の目的はここに開示される発明によって実現することができる。パワー増幅回路では、増幅利得が要求されないときに回路内のパワー増幅器をバイパスするためにバイパスネットワークが備えられている。これらの低パワー動作の期間中は増幅器はオフになる。バイパスネットワークはバイパス経路及び減衰経路から成る。減衰経路は外部抵抗を用いて可変性を有し、バイパス経路は可変性を持たない。スイッチは、増幅器への信号の流れ、又はバイパス経路又は減衰経路を通る信号の流れを制御する。バイパスネットワークからの信号はサーキュレータに入力され、それはその信号をパワー増幅器の出力に接続するポートにルーティングする。バイパスの使用中はパワー増幅器はオフになるので、信号に対して非常に大きなインピーダンスがかかっていると考えられる。入力パワー信号のほとんどは、ＲＦ出力ポートからの通常の出口に対するサーキュレータに反射し戻される。外部抵抗は減衰経路とともに用いられて、利用可能な利得工程における柔軟性を与える。
【００１１】
本発明の別の態様では、帯域通過フィルタを増幅経路内に設置して、パワー増幅器がバイパスされたときにフィルタリングがバイパスされる。増幅からバイパスへモードが変わったときに、これによって利得工程の大きさが下げられる。それによって駆動増幅器は出力増幅器となり、また増幅回路に従うフィルタは全ての好ましくないスパー（ｓｐｕｒ）を除去する。
【００１２】
本発明の別の態様ではパワー増幅器をバイパスするときに、駆動増幅器をより強く駆動し、従って利得工程をより自由に選択することが可能になる。
【図面の簡単な説明】
【００１３】
【図１】図１は本発明による第１の実施形態の平面図である。
【図２】図２は本発明による高効率パワー増幅器が組み込まれるモバイルスペクトル拡散送信機のブロック図である。
【図３】図３は図２のスペクトル拡散送信機内に含まれるＲＦ送信機の例示実現例である。
【図４】図４は本発明による第２の実施形態の平面図である。
【図５】図５は本発明による第３の実施形態の平面図である。
【図６】図６は従来技術による増幅回路の平面図である。
【図７】図７は従来技術によるパワー増幅器の平面図である。
【発明を実施するための形態】
【００１４】
図１は本発明の広い態様を表す概略図である。一般に参照符号１０で表されるパワー増幅回路は、パワー増幅器３２、サーキュレータ５２、１連のスイッチ２０、２４、４２、及びパワー増幅器３２の周りのバイパス経路３４、３６から構成される。増幅されるＲＦ信号を持つＲＦ入力１２は第１スイッチ２０の極に接続されている。パワー増幅器をオンにしてパワー増幅が必要な場合、スイッチ２０はＲＦ入力１２を経路２８を経由してパワー増幅器３２の入力に接続する。ＲＦ入力は増幅されて、パワー増幅器からサーキュレータ５２に向かって出力される。サーキュレータ５２はその信号をパワー増幅回路１０のＲＦ出力５４のポートにルーティングする。
【００１５】
パワー増幅器が不要になりオフにされると、スイッチ２０は信号経路をバイパス経路３６及び減衰経路３４から成るバイパスネットワーク４８にスイッチングする。バイパス経路３６を通って信号を送るために、スイッチ２４及び４２は第１ポジションにスイッチングして信号はバイパス経路３６を通って流れる。またスイッチ２４及び４２は信号が減衰経路３４を通って流れるようにスイッチングすることもできる。信号はスイッチ４２からサーキュレータ５２の入力に送信される。サーキュレータ５２は、パワー増幅器３２の出力５０に接続するポートにその信号をルーティングする。パワー増幅器５０の出力は信号に対する高インピーダンスとして作用し、従ってその信号はサーキュレータ５２に反射し戻され、サーキュレータは信号を増幅回路１０のＲＦ出力５４のポートにルーティングする。
【００１６】
図２は、モバイル局の信号処理回路における本発明のパワー増幅器の使用法を表す概略図である。例示のＣＤＭＡシステムでは直交信号化を用いて、モバイル局−基地局の局リンク上に又は「逆」チャネル上に、適切な信号対雑音比を与える。例えばデコーダによってデータに変換された音声から成るデータビット２００が、エンコーダ２００に供給され、そこでそのビットはたたみこみによってエンコーディングされる。そのデータのビット速度がエンコーダ２０２のビット処理速度よりも小さいときは、コードシンボル反復を用いてエンコーダ２０２はその入力データビット２００を反復して、エンコーダ２０２の動作速度に一致するビット速度で反復データストリームを生成する。例示の実施形態ではエンコーダ２０２はデータビット２００を１１．６キロビット／秒の公称ビット速度（Ｒｂ）で受信して、Ｒｂ／ｒ＝３４．８シンボル／秒を生じる。ここで“ｒ”はエンコーダ２０２のコード速度（例えば、１／３）を表す。それからエンコーディングされたデータはブロックインターリーバ２０４に送られそこでブロックインターリーブされる。
【００１７】
６４進法の直交変調器２０６によってシンボルは、（１／ｒ）（Ｒｂ／ｌｏｇ２６４）＝５，８００文字／秒の速度で、ｌｏｇ２６４＝６シンボルを含む文字にグループ化され、６４文字の存在が可能になる。好ましい実施形態では、各文字は長さ６４のＷａｌｓｈシーケンスにエンコーディングされる。すなわち各Ｗａｌｓｈシーケンスは６４バイナリビット又は「チップ」を含み、それは長さ６４の６４個のＷａｌｓｈコードの１セットである。６４個の直交コードは、Ｗａｌｓｈコードがマトリックスの単一の行又は列であるような６４×６４ＨａｄａｍａｒｄマトリックスからのＷａｌｓｈコードに対応する。
【００１８】
変調器２０６によって生成されたＷａｌｓｈシーケンスは排他的ＯＲ結合器２０８に送られて、結合器でそれは特定のモバイル局に固有のＰＮコードで「カバーされる」又は多重化される。そのようなロングＰＮコードは、使用者ＰＮロングコードマスクに従ってＰＮロングコード発生器２１０によって速度Ｒｃで生成される。例示の実施形態ではロングコード発生器１０は１．２２８８Ｍｈｚの例示のチップ速度Ｒｃで動作して、Ｗａｌｓｈチップ当たり４つのＰＮチップを生成する。排他的ＯＲ結合器２０８の出力は、同一の信号Ａ及びＢに分割される。信号Ａ及びＢは後述するように図３の排他的ＯＲ結合器２５６及び２５４に入力される。
【００１９】
図３は、モバイル局のＲＦ送信機２５０の例示の実現を表す概略図である。ＣＤＭＡスペクトル拡散の応用例では、図２の排他的ＯＲ結合器２０８からの出力Ａ及びＢとともに、１対の短いＰＮシーケンスＰＮＩ及びＰＮＱが、ＰＮＩ発生器２５２及びＰＮＱ発生器２５４によって排他的ＯＲ結合器２５６及び２５８にそれぞれ供給される。ＰＮＩ及びＰＮＱシーケンスは、同相（Ｉ）及び直交位相（Ｑ）通信チャネルにそれぞれ関連し、また一般的に各使用者ＰＮロングコードの長さよりも非常に短い長さ（３２，７６８チップ）を持つ。その結果生成したＩチャネルコード拡散シーケンス２６０及びＱチャネルコード拡散シーケンス２６２はそれからベースバンドフィルタ２６４及び２６６にそれぞれ渡される。
【００２０】
ディジタル／アナログ（Ｄ／Ａ）変換器２７０及び２７２が設置されてディジタルＩチャネル及びＱチャネル情報をそれぞれアナログ形態に変換する。Ｄ／Ａ変換器２７０及び２７２によって生成されたアナログ波形は、局部発振器（ＬＯ）の搬送周波数信号Ｃｏｓ（２πｆｔ）及びＳｉｎ（２πｆｔ）でそれぞれミクサ２８８及び２９０に送られ、そこでそれらはミキシングされて加算器２９２に渡される。直交位相搬送信号Ｃｏｓ（２πｆｔ）及びＳｉｎ（２πｆｔ）が適切な周波数発生源（図示せず）から供給される。これらのミキシングされたＩＰ信号は加算器２９２で加算されてミクサ２９４に送られる。
【００２１】
ミクサ２９４は加算された信号を周波数合成器２９６からのＲＦ周波数でミキシングして、周波数アップ変換をＲＦ周波数帯域に与える。それからＲＦは帯域通過フィルタリング２９８されて、本発明の高効率パラレルステージＲＦ増幅器１０に送られる。フィルタ２９３はアップ変換２９６に起因する好ましくないスパーを取り除く。類似のフィルタ（図示せず）を増幅回路に従って配置して、回路がバイパスモードで動作しているときに好ましくないスパーを取り除くことができる。バイパスモードでは、先行する駆動増幅器は出力増幅器になり、また増幅器の非線形性のためにミキシングから余分なスパーを取り除くためにフィルタリングが必要になる。このフィルタリングは類似のフィルタ（図示せず）によって達成され、従って後出の図４及び５に示されるように帯域通過フィルタ２９８を増幅経路内に配置することができる。これによってさらに利得工程を選択する際の自由度が増す。
【００２２】
図４は、アナログ信号がバイパス経路３０及び増幅経路２８間でスイッチングされる本発明の第２の実施形態である。しかしながら帯域通過フィルタリング２９８は増幅経路２８内だけで行われる。従って信号は帯域通過フィルタリング２９８され、パワー増幅器３２に送り込まれて増幅されサーキュレータ５５に送信され、サーキュレータはその信号をＲＦ出力ポート５４に向けてルーティングする。第１スイッチ２０がアナログ信号を増幅経路を通るよう方向付けするときは、サーキュレータ５５はスイッチ４３、抵抗４５及び回路の出力ポート５４を通って接地される。従ってこの構成によって、反射された又は戻されたＲＦ信号がＲＦ出力ポート５４の方向からサーキュレータ５５に入るとき、反射信号はサーキュレータ５５によって接地にルーティングされる。第１スイッチ２０がアナログ信号をバイパス経路３０にスイッチングすると、第２スイッチ４３はバイパス経路３０をサーキュレータ５５に接続し、また信号は増幅器の出力に向けてルーティングされる。これは高インピーダンスとして現れ、信号をアイソレータ５５を通ってＲＦ出力ポート５５へ反射し戻す。
【００２３】
高出力パワーが必要でない場合は、パワー増幅器３２がオフにされ第１スイッチ２０がバイパス経路３０にスイッチングし、それによってパワー増幅器３２はバイパスされて、駆動増幅器２８０はパワー増幅器のように動作する。第２スイッチ４３はバイパス経路３０をサーキュレータ５５に接続する。このモードでの入力信号はバイパス経路３０を通ってサーキュレータ５５にルーティングされる。その信号はサーキュレータによってパワー増幅器３２の出力にルーティングされ、アイソレータ５５を通ってまたＲＦ出力ポート５４の出力に反射し戻される。
【００２４】
図５には、駆動増幅器２８０、及び第１スイッチ２０の前で増幅された信号をフィルタリングする帯域通過フィルタ２９８を備える本発明の第３の実施形態が示される。帯域通過フィルタ２９８からの出力は、増幅経路２８とバイパス経路３０間のスイッチングを行う第１スイッチ２０によってスイッチングされる。増幅経路内のパワー増幅器３２は信号を増幅してサーキュレータ５５に送信し、サーキュレータはその信号をＲＦ出力ポート５４に向けてルーティングする。第２スイッチ２０は、フィルタリングされた信号を増幅経路２８又はバイパス経路３０に交互に送信する。第２スイッチ４３はバイパス経路内に設置されて、サーキュレータ５５を第１モードの抵抗４５を通じて接地し、またサーキュレータ５５を第２モードのバイパス経路３０に接続する。抵抗４５は例えば５０オームの値を持つことができる。
【００２５】
第２スイッチ４３が第２モードにあるときは、ＲＦ出力ポート５４からのいかなるフィードバック又は戻り信号も接地にルーティングされる。スイッチ２０が第１モードで信号をバイパス経路３０に送信するとき、スイッチ４３はその信号をバイパス経路３０からサーキュレータ５５に送信する。サーキュレータ５５は信号をパワー増幅器の出力にルーティングし、それは大きなインピーダンスを作用させて信号のほとんどをサーキュレータ５５に反射し戻す。それから信号はＲＦ出力ポート５４に向けてルーティングされる。従って、信号は減衰経路にスイッチングされないという事実のために、スイッチ４３はアイソレーションを付加する。この実施形態はただ１つの利得工程が望まれる場合に適用可能である。
【００２６】
好ましい実施形態の前記の説明は、当業者の全てに本発明の実現又は利用を可能にするために提供される。本実施形態への各種の変更は当業者にとっては容易に明らかであり、ここで定められた一般的な原理は、発明の才を用いなくとも他の実施形態に適用することが可能である。従って、本発明はここで示された実施形態に限定するものではなく、ここに開示された原理及び新しい特徴に則った最も広い範囲で適用されることを意図するものである。
【図１】
2010183641.tif 000003
【図２】
2010183641.tif 000004
【図３】
2010183641.tif 000005
【図４】
2010183641.tif 000006
【図５】
2010183641.tif 000007
【図６】
2010183641.tif 000008
【図７】
2010183641.tif 000009
【手続補正書】
【提出日】平成22年5月24日(2010.5.24)
【手続補正１】
【補正対象書類名】特許請求の範囲
【補正対象項目名】全文
【補正方法】変更
【補正の内容】
【特許請求の範囲】
【請求項１】
パワー増幅回路装置であって、
ＲＦアナログ信号を送信する駆動増幅器と、
前記ＲＦアナログ信号をバイパス経路と増幅経路間でスイッチングする第１の手段と、
前記ＲＦアナログ信号をフィルタリングしてフィルタリング済み信号を発生する、前記増幅経路上に置かれた帯域通過フィルタと、
前記フィルタリング済み信号を増幅して増幅済み信号を発生する、前記増幅経路上に置かれたパワー増幅器と、
前記増幅済み信号をＲＦ出力ポートにルーティングするサーキュレータであって、前記第１のスイッチング手段が前記バイパス経路にスイッチングすると、前記バイパス経路が前記駆動増幅器の出力を前記サーキュレータに接続し、この場合、前記バイパス経路が、前記サーキュレータに接続して、前記バイパス経路から前記サーキュレータに入力された前記ＲＦアナログ信号が前記パワー増幅器にルーティングされる、サーキュレータと、
前記バイパス経路上に置かれた第２のスイッチング手段であり、前記第２のスイッチング手段が前記サーキュレータを、前記バイパス経路と、抵抗を介したグランドとの間でスイッチングし、これによって、前記第２のスイッチング手段がグランドに接続すると、前記ＲＦ出力ポートの方向から回路に帰還したパワーがグランドにルーティングされて、パワー増幅回路装置を隔離する、第２のスイッチング手段と、
を備えるパワー増幅回路装置。
【請求項２】
前記第１のスイッチング手段が前記バイパス経路にスイッチングすると、前記パワー増幅器のパワーがオフされる、請求項1に記載のパワー増幅回路装置。
【請求項３】
パワー増幅回路装置であって、
ＲＦアナログ信号を送信する駆動増幅器と、
前記ＲＦアナログ信号をフィルタリングしてフィルタリング済み信号を発生するように置かれた帯域通過フィルタと、
前記フィルタリング済み信号をバイパス経路と増幅経路間でスイッチングする第１の手段と、
前記フィルタリング済み信号を増幅して増幅済み信号を発生する、前記増幅経路上に置かれたパワー増幅器と、
前記増幅済み信号をＲＦ出力ポートにルーティングするサーキュレータであって、前記第１のスイッチング手段が前記バイパス経路に接続すると、前記バイパス経路が前記帯域通過フィルタの出力を前記サーキュレータに接続し、この場合、前記バイパス経路が前記サーキュレータに接続して、前記バイパス経路からの前記サーキュレータに入力される前記フィルタリング済み信号が前記パワー増幅器にルーティングされる、サーキュレータと、
前記バイパス経路上に置かれた第２のスイッチング手段であり、前記第２のスイッチング手段が、前記バイパス経路と、抵抗を介してグランドとの間に前記サーキュレータをスイッチングし、これによって、前記第２のスイッチング手段がグランドに接続すると、前記ＲＦ出力ポートの方向から回路に帰還したパワーがグランドにルーティングされてパワー増幅回路装置を隔離する、第２のスイッチング手段と、
を備えるパワー増幅回路装置。
【請求項４】
前記第１と第２のスイッチング手段を制御する手段をさらに備える請求項3に記載のパワー増幅回路装置。
【請求項５】
前記抵抗が約５０オームである、請求項3に記載のパワー増幅回路装置。
【請求項６】
前記第１のスイッチング手段が前記バイパス経路にスイッチングすると、前記パワー増幅器のパワーがオフされる、請求項４に記載のパワー増幅回路装置。
【手続補正２】
【補正対象書類名】明細書
【補正対象項目名】００２６
【補正方法】変更
【補正の内容】
【００２６】
好ましい実施形態の前記の説明は、当業者の全てに本発明の実現又は利用を可能にするために提供される。本実施形態への各種の変更は当業者にとっては容易に明らかであり、ここで定められた一般的な原理は、発明の才を用いなくとも他の実施形態に適用することが可能である。従って、本発明はここで示された実施形態に限定するものではなく、ここに開示された原理及び新しい特徴に則った最も広い範囲で適用されることを意図するものである。  
以下に、本願出願の当初の特許請求の範囲に記載された発明を付記する。
［１］入力と出力を有するパワー増幅器と、
ＲＦ入力ポートと、
ＲＦ出力ポートと、
バイパスネットワークを介して前記パワー増幅器をバイパスする手段と、
ＲＦ信号を前記ＲＦ入力ポートから前記バイパスネットワークと前記入力間を通って前記増幅器にスイッチングする手段と、
前記バイパスネットワークと、前記パワー増幅器の出力と、前記ＲＦ出力と、を接続するサーキュレータであり、前記接続によって、前記バイパスネットワークから前記サーキュレータに入力された前記ＲＦ信号が、前記パワー増幅器の出力にルーティングされ、前記パワー増幅器出力から前記サーキュレータに入力された前記ＲＦ信号が、前記ＲＦ出力ポートにルーティングされる、サーキュレータ、
を備えるパワー増幅回路装置。
［２］前記パワー増幅器のパワーがオフすると、前記第１のスイッチング手段が、前記ＲＦ信号を前記バイパスネットワークに対して、前記ＲＦ信号が、前記パワー増幅器をバイパスし、前記サーキュレータ中をルーティングして前記パワー増幅器出力に向かい、前記パワー増幅器によって反射されて、前記サーキュレータ中をルーティングして前記ＲＦ出力ポートに到達するように、スイッチングする、上記[１]に記載のパワー増幅回路装置。
［３］前記バイパスネットワークが、バイパス経路と、減衰経路と、前記バイパス経路と前記減衰経路間をスイッチングする第２の手段と、を含む、上記[１]に記載のパワー増幅回路装置。
［４］前記減衰経路が、利得段階の提供にフレキシビリティを与えるためにグランドに接続された外部抵抗を含む、上記[３]に記載のパワー増幅回路装置。
［５］前記パワー増幅器のパワーがオフして、前記第１のスイッチング手段が前記ＲＦ入力ポートを前記バイパスネットワークに接続し、また、前記第１のスイッチング手段が前記バイパス経路にスイッチングすると、前記ＲＦ信号が前記バイパス経路を通過して、前記サーキュレータ中をルーティングして前記パワー増幅器の出力に向かい、前記パワー増幅器によって反射されて、前記サーキュレータ中をルーティングして前記ＲＦ出力ポートに到達する、上記[３]に記載のパワー増幅回路装置。
［６］前記パワー増幅器のパワーがオフして前記第１のスイッチング手段が前記ＲＦ入力ポートを前記バイパスネットワークに接続し、また、前記第２のスイッチング手段が前記減衰経路にスイッチングすると、前記ＲＦ信号が、前記減衰経路を通過して、前記サーキュレータ中をルーティングして前記パワー増幅器に向かい、前記パワー増幅器によって反射されて、前記サーキュレータ中をルーティングして前記ＲＦ出力ポートに到達する、上記[３]に記載のパワー増幅回路装置。
［７］前記パワー増幅器のパワーがオンして前記第１のスイッチング手段が前記ＲＦ入力ポートを前記パワー増幅器の入力に接続すると、前記第２のスイッチング手段が、前記減衰経路を前記サーキュレータにスイッチングして、逆アイソレーションを最小化し、また、発振から保護する、上記[４]に記載のパワー増幅回路装置。
［８］前記外部抵抗が、利得調整用の可変抵抗である、上記[４]に記載のパワー増幅回路装置。
［９］ＲＦ入力ポート及びＲＦ出力ポートと、バイパスネットワークと、前記バイパスネットワークに接続されたサーキュレータと、前記パワー増幅器の出力と、前記ＲＦ出力とを持つパワー増幅回路において、動的範囲を最大化する方法において、
前記パワー増幅器のパワーをオフする工程と、
ＲＦ信号を前記ＲＦ入力ポートから前記バイパスネットワークにスイッチングする工程と、
前記ＲＦ信号を前記バイパスネットワークから前記サーキュレータを介して前記パワー増幅器に向けてルーティングする工程と、
前記パワー増幅器に入射される前記ＲＦ信号のかなりの部分を前記サーキュレータに反射して戻す工程と、
前記反射したＲＦ信号を前記サーキュレータを介して前記ＲＦ出力ポートにルーティングする工程と、
を含む動的範囲を最大化する方法。
［１０］ＲＦアナログ信号を送信する駆動増幅器と、
前記ＲＦ信号をバイパス経路と増幅経路間でスイッチングする第１の手段と、
前記ＲＦアナログ信号をフィルタリングしてフィルタリング済み信号を発生する、前記増幅経路上に置かれた帯域通過フィルタと、
前記フィルタリング済み信号を増幅して増幅済み信号を発生する、前記増幅経路上に置かれたパワー増幅器と、
前記増幅済み信号をＲＦ出力ポートにルーティングするサーキュレータであって、前記第１のスイッチング手段が前記バイパス経路にスイッチングすると、前記バイパス経路が前記駆動増幅器の出力を前記サーキュレータに接続し、この場合、前記バイパス経路が、前記サーキュレータに対して、前記バイパス経路から前記サーキュレータに対する前記ＲＦアナログ信号入力が前記パワー増幅器にルーティングされるように接続する、サーキュレータと、
前記バイパス経路上に置かれた第２のスイッチング手段であり、前記第２のスイッチング手段が、接続部を、前記バイパス経路とグランド間にある前記サーキュレータに対して抵抗を介してスイッチングし、これによって、前記第２のスイッチング手段がグランドに接続すると、前記ＲＦ出力ポートの方向から後出の回路に復帰したパワーがグランドにルーティングされて、後出のパワー増幅回路装置を隔離する、第２のスイッチング手段と、
を備えるパワー増幅回路装置。
［１１］ＲＦアナログ信号を送信する駆動増幅器と、
前記ＲＦアナログ信号をフィルタリングしてフィルタリング済み信号を発生するように置かれた帯域通過フィルタと、
前記フィルタリング済み信号をバイパス経路と増幅経路間でスイッチングする第１の手段と、
前記フィルタリング済み信号を増幅して増幅済み信号を発生する、前記増幅経路上に置かれたパワー増幅器と、
前記増幅済み信号をＲＦ出力ポートにルーティングするサーキュレータであって、前記第１のスイッチング手段が前記バイパス経路に接続すると、前記バイパス経路が前記帯域通過フィルタの出力を前記サーキュレータに接続し、この場合、前記前記バイパス経路が前記サーキュレータに対して、前記バイパス経路からの前記サーキュレータに対する前記フィルタリング済み信号入力が前記パワー増幅器にルーティングされるように接続する、サーキュレータと、
前記バイパス経路上に置かれた第２のスイッチング手段であり、前記第２のスイッチング手段が、接続部を、前記バイパス経路とグランド間にある前記サーキュレータに抵抗を介してスイッチングし、これによって、前記第２のスイッチング手段がグランドに接続すると、前記ＲＦ出力ポートの方向から後出の回路に復帰したパワーがグランドにルーティングされて後出のパワー増幅回路装置を隔離する、第２のスイッチング手段と、
を備えるパワー増幅回路装置。
［１２］前記第１と第２のスイッチング手段を制御する手段をさらに備える、上記[１１]に記載のパワー増幅回路装置。
［１３］前記抵抗が約５０オームである、上記[１１]に記載のパワー増幅回路装置。
［１４］前記第１のスイッチング手段が前記バイパス経路にスイッチングすると、前記パワー増幅器のパワーがオフされる、上記[１０]に記載のパワー増幅回路装置。
［１５］前記第１のスイッチング手段が前記バイパス経路にスイッチングすると、前記パワー増幅器のパワーがオフされる、上記[１１]に記載のパワー増幅回路装置。
［１６］アナログ信号を送信する駆動増幅器と、
前記アナログ信号をバイパス経路と増幅経路間で選択的にスイッチングする第１のスイッチと、を有するパワー増幅回路装置であって、
前記増幅経路が、
前記アナログ信号をフィルタリングして、フィルタリング済み信号を発生する帯域通過フィルタと、
前記フィルタリング済み信号を受信して、増幅済み信号を発生するパワー増幅器と、
前記増幅済み信号を同相信号と直交位相信号に分割する第１のハイブリッド回路と、
前記同相信号を反転させて反転済み信号を発生し、また、前記反転済み信号と前記直交位相信号を加算して加算済み信号を発生する第２のハイブリッド回路と、
を含み、
前記第１のスイッチが前記アナログ信号を前記バイパス経路にスイッチングすると、前記バイパス経路が、前記駆動増幅器の出力を前記第２のハイブリッド回路の隔離されたポートと接続し、これによって、前記駆動増幅器から送信された前記アナログ信号が前記パワー増幅器から反射され、出力ポートにルーティングされる、
パワー増幅回路装置。
［１７］前記バイパス経路上に置かれた第２のスイッチと、
前記第２のスイッチの極に接続された終端抵抗と、
をさらに備え、
前記第２のスイッチが、前記第２のハイブリッド回路の前記隔離されたポートを前記第１のスイッチ又は前記終端抵抗のどちらかと選択的に接続する、上記[１６]に記載のパワー増幅回路装置。
［１８］前記アナログ信号が、無線周波数アナログ信号である、上記[１６]に記載のパワー増幅回路装置。
［１９］前記パワー増幅器がオフされると、前記第１のスイッチが、前記アナログ信号を前記バイパス経路に接続する、上記[１６]に記載のパワー増幅回路装置。
［２０］アナログ信号を送信する駆動増幅器と、
前記アナログ信号を、バイパス経路と増幅経路間で選択的にスイッチングする第１のスイッチとを有するパワー増幅回路装置であって、
前記増幅経路が、
前記アナログ信号をフィルタリングして、フィルタリング済み信号を発生する帯域通過フィルタと、
前記フィルタリング済み信号を受信して、増幅済み信号を発生するパワー増幅器と、
前記増幅済み信号を同相信号と直交位相信号に分割する第１のハイブリッド回路と、
前記直交位相信号を反転させて反転済み信号を発生し、また、前記反転済み信号と前記同相信号を加算して加算済み信号を発生する第２のハイブリッド回路と、を含み、
前記第１のスイッチが、前記アナログ信号を前記バイパス経路にスイッチングすると、前記バイパス経路が、前記駆動増幅器の出力を前記第２のハイブリッド回路の隔離されたポートと接続し、これによって、前記駆動増幅器に送信された前記アナログ信号が前記パワー増幅器から反射されて出力ポートにルーティングされる、
パワー増幅器回路装置。
［２１］前記バイパス経路上に置かれた第２のスイッチと、
前記第２のスイッチの極に接続された終端抵抗と、
をさらに備え、
前記第２のスイッチが、前記第２のハイブリッド回路の隔離済みポートを、前記第１のスイッチ又は前記終端抵抗と選択的に接続する、上記[５]に記載のパワー増幅回路装置。
［２２］前記アナログ信号が無線周波数アナログ信号である、上記[５]に記載のパワー増幅回路装置。
［２３］前記パワー増幅器がオフされると、前記第１のスイッチが、前記アナログ信号を前記バイパス経路にスイッチングする、上記[５]に記載のパワー増幅回路装置。
［２４］駆動増幅器と、第１のスイッチを含む増幅経路と、帯域通過フィルタと、パワー増幅器と、第１のハイブリッド回路及び第２のハイブリッド回路と、前記第２のハイブリッド回路の隔離されたポートを前記第１のスイッチに接続するバイパス経路と、を有する回路内の信号増幅方法において、
（Ａ）前記駆動増幅器から駆動信号を発生する工程と、
（Ｂ）前記駆動信号を、前記増幅経路と前記バイパス経路間で前記第１のスイッチを用いて選択的にスイッチングする工程と、を含み、
前記駆動信号が前記スイッチング工程で、前記増幅経路にスイッチングされると、前記方法が、
（ａ）前記帯域追加フィルタによって前記駆動信号を帯域通過フィルタリングして、フィルタリング済み信号を発生する工程と、
（ｂ）前記フィルタリング済み信号を前記パワー増幅器で増幅して、増幅済み信号を発生する工程と、
（ｃ）前記増幅済み信号を、前記第１のハイブリッド回路内で同相信号と直交位相信号に分割する工程と、
（ｄ）前記同相信号を、前記第２のハイブリッド回路内で反転させて反転済み信号を発生する工程と、
（ｅ）前記反転済み信号と前記直交位相信号を加算して、前記第２のハイブリッド回路内で加算済み信号を発生する工程と、をさらに含み、
前記駆動信号が前記スイッチング工程で前記バイパス経路にスイッチングされると、前記方法が、
（ａ）前記パワー増幅器をオフする工程と、
（ｂ）前記駆動信号を前記第２のハイブリッド回路の隔離済みポートに送信する工程と、
（ｃ）前記駆動信号を前記パワー増幅器の出力から出力ポートに反射する工程と、をさらに含む；
信号増幅方法。
［２５］前記回路が、前記バイパス経路上に置かれた第２のスイッチをさらに備え、前記方法が、
前記第２のスイッチを、前記第２のハイブリッド回路の隔離済みポートを終端抵抗に接続するか又は前記第２のハイブリッド回路の隔離済みポートを前記第１のスイッチに接続するか、するように選択的にスイッチングする工程をさらに含む、上記[９]に記載の方法。
［２６］前記駆動信号が無線周波数アナログ信号である、上記[９]に記載の方法。
［２７］駆動増幅器と、第１のスイッチを含む増幅経路と、帯域通過フィルタと、パワー増幅器と、第１のハイブリッド回路及び第２のハイブリッド回路と、前記第２のハイブリッド回路の隔離済みポートを前記第１のスイッチに接続するバイパス経路と、を有する回路内で信号を増幅する方法において、前記方法が、
（Ａ）前記駆動増幅器から駆動信号を発生する工程と、
（Ｂ）前記駆動信号を前記増幅経路と前記バイパス経路間で前記第１のスイッチを用いて選択的にスイッチングする工程と、を含み、
前記駆動信号が前記スイッチング工程で前記増幅経路にスイッチングされると、前記方法が、
（ａ）前記信号を前記帯域通過フィルタによって帯域通過フィルタリングして、フィルタリング済み信号を発生する工程と、
（ｂ）前記フィルタリング済み信号を前記パワー増幅器で増幅して、増幅済み信号を発生する工程と、
（ｃ）前記増幅済み信号を、前記第１のハイブリッド回路内で同相信号を直交位相信号に分割する工程と、
（ｄ）前記第２のハイブリッド回路内で前記同相信号を反転させて反転済み信号を発生する工程と、
（ｅ）前記第２のハイブリッド回路内で前記反転済み信号と前記直交位相信号を加算して加算済み信号を発生する工程と、をさらに含み、
前記駆動信号が前記スイッチング工程で前記バイパス経路にスイッチングされると、前記方法が、
（ａ）前記パワー増幅器をオフする工程と、
（ｂ）前記駆動信号を前記第２のハイブリッド回路の隔離済みポートに送信する工程と、
（ｃ）前記駆動信号を前記パワー増幅器の出力から出力ポートに反射させる工程と、
をさらに含む信号増幅方法。
［２８］前記回路が、前記バイパス経路上に置かれた第２のスイッチをさらに含み、前記方法が、
前記第２のスイッチを、前記第２のハイブリッド回路の隔離済みポートを終端抵抗に接続するか又は前記第２のハイブリッド回路の隔離済みポートを前記第１のスイッチに接続するか、するように選択的にスイッチングする工程をさらに含む、上記[１２]に記載の方法。
［２９］前記駆動信号が無線周波数アナログ信号である、上記[１２]に記載の方法。
［３０］アナログ信号を送信する駆動増幅器と、
前記アナログ信号をバイパス経路と増幅経路間でスイッチングする第１のスイッチとを有するパワー増幅回路装置において、
前記増幅経路が、
前記アナログ信号をフィルタリングしてフィルタリング済み信号を発生する帯域通過フィルタと、
前記フィルタリング済み信号を同相信号と直交位相信号に分割する第１のハイブリッド回路と、
前記同相信号を増幅して第１の増幅済み信号を発生する第１のパワー増幅器と、
前記直交位相信号を増幅して第２の増幅済み信号を発生する第２のパワー増幅器と、
前記第１の増幅済み信号を反転させて反転済み信号を発生し、また、前記反転済み信号と前記第２の増幅済み信号を加算する第２のハイブリッド回路と、を含み、
前記第１のスイッチが前記アナログ信号を前記バイパス経路にスイッチングすると、前記バイパス経路が、前記駆動増幅器の出力を前記第２のハイブリッド回路の隔離済みポートに接続する、
パワー増幅回路装置。
［３１］アナログ信号を送信する駆動増幅器と、
前記アナログ信号をバイパス経路と増幅経路間でスイッチングする第１のスイッチとを有するパワー増幅回路装置において、
前記増幅経路が、
前記アナログ信号をフィルタリングしてフィルタリング済み信号を発生する帯域通過フィルタと、
前記フィルタリング済み信号を同相信号と直交位相信号に分割する第１のハイブリッド回路と、
前記同相信号を増幅して第１の増幅済み信号を発生する第１のパワー増幅器と、
前記直交位相信号を増幅して第２の増幅済み信号を発生する第２のパワー増幅器と、
前記第２の増幅済み信号を反転させて反転済み信号を発生し、また、前記反転済み信号と前記第１の増幅済み信号を加算する第２のハイブリッド回路と、を含み、
前記第１のスイッチが前記アナログ信号を前記バイパス経路にスイッチングすると、前記バイパス経路が、前記駆動増幅器の出力を前記第２のハイブリッド回路の隔離済みポートに接続する、
パワー増幅回路装置。
［３２］前記アナログ信号が無線周波数アナログ信号である、上記[１５]に記載のパワー増幅回路装置。
［３３］前記アナログ信号が無線周波数アナログ信号である、上記[１６]に記載のパワー増幅回路装置。
［３４］前記パワー増幅器がオフされると、前記スイッチが前記バイパス経路にスイッチングする、上記[１５]に記載のパワー増幅回路装置。
［３５］前記パワー増幅器がオフされると、前記スイッチが前記バイパス経路にスイッチングする、上記[１６]に記載のパワー増幅回路装置。
［３６］前記バイパス経路上に置かれた第２のスイッチと、
前記第２のスイッチの極に接続された終端抵抗と、をさらに備え、
前記第２のスイッチが、前記第２のハイブリッド回路の隔離済みポートを、前記第１のスイッチか前記終端抵抗に選択的に接続する、上記[１５]に記載のパワー増幅回路装置。
［３７］前記バイパス経路上に置かれた第２のスイッチと、
前記第２のスイッチの極に接続された終端抵抗と、をさらに備え、
前記第２のスイッチが、前記第２のハイブリッド回路の隔離済みポートを、前記第１のスイッチか前記終端抵抗に選択的に接続する、上記[１６]に記載のパワー増幅回路装置。
［３８］前記第１のパワー増幅器と前記第２のハイブリッド回路間に置かれた第１の分流スイッチと、
前記第２のパワー増幅器と前記第２のハイブリッド回路間に置かれた第２の分流スイッチと、をさらに備え、
前記バイパス経路を用いる場合、前記第１と第２の分流スイッチを用いて、それぞれ前記第１と第２のパワー増幅器の出力を分流させる、上記[１５]に記載のパワー増幅回路装置。
［３９］前記第１のパワー増幅器と前記第２のハイブリッド回路間に置かれた第１の分流スイッチと、
前記第２のパワー増幅器と前記第２のハイブリッド回路間に置かれた第２の分流スイッチと、をさらに備え、
前記バイパス経路を用いる場合、前記第１と第２の分流スイッチを用いて、それぞれ前記第１と第２のパワー増幅器の出力を分流させる、上記[１６]に記載のパワー増幅回路装置。
［４０］駆動増幅器と、第１のスイッチを含む増幅経路と、帯域通過フィルタと、第１のパワー増幅器と、第２のパワー増幅器と、第１のハイブリッド回路及び第２のハイブリッド回路と、前記第２のハイブリッド回路の隔離済みポートを前記第１のスイッチに接続するバイパス経路と、を有する回路内で信号を増幅する方法において、前記方法が、
（Ａ）前記駆動増幅器から駆動信号を発生する工程と、
（Ｂ）前記駆動信号を前記増幅経路と前記バイパス経路間で前記第１のスイッチを用いて選択的にスイッチングする工程と、を含み、
前記駆動信号が前記スイッチング工程で前記増幅経路にスイッチングされると、前記方法が、
（ａ）前記信号を前記帯域通過フィルタによって帯域通過フィルタリングして、フィルタリング済み信号を発生する工程と、
（ｂ）前記フィルタリング済み信号を前記第１のハイブリッド回路内で同相信号を直交位相信号に分割する工程と、
（ｃ）前記同相信号を前記第１のパワー増幅器で増幅して増幅済み同相信号を発生する工程と、
（ｄ）前記第２のパワー増幅器によって前記直交位相信号を増幅して増幅済み直交位相信号を発生する工程と、
（ｅ）前記増幅済み同相信号を前記第２のハイブリッド回路内で反転させて反転済み信号を発生する工程と、
（ｄ）前記反転済み信号と前記増幅済み直交信号を前記第２のハイブリッド回路内で加算して加算済み信号を発生する工程とを含み、
前記駆動信号が前記スイッチング工程で前記バイパス経路にスイッチングされると、前記方法が、
（ａ）前記第１のパワー増幅器と前記第２のパワー増幅器をオフする工程と、
（ｂ）前記駆動信号を前記第２のハイブリッド回路の隔離済みポートに送信する工程と、
（ｃ）前記駆動信号を同相信号と直交位相信号に前記第２のハイブリッド回路内で分割する工程と、
（ｄ）前記同相信号を前記第１の増幅済み信号から反射させる工程と、
（ｅ）前記直交位相信号を前記第２のパワー増幅器から反射させる工程と、
（ｆ）前記反射済み同相信号を前記第２のハイブリッド回路内で反転させて反転済み信号を発生する工程と、
（ｇ）前記反転済み信号と前記直交位相信号を前記第２のハイブリッド回路内で加算して加算済み信号を発生する工程と、
（ｈ）前記加算済み信号を出力ポートに出力する工程と、をさらに含む、
信号増幅方法。
［４１］駆動増幅器と、第１のスイッチを含む増幅経路と、帯域通過フィルタと、第１のパワー増幅器と、第２のパワー増幅器と、第１のハイブリッド回路及び第２のハイブリッド回路と、前記第２のハイブリッド回路の隔離済みポートを前記第１のスイッチに接続するバイパス経路と、を有する回路内で信号を増幅する方法において、前記方法が、
（Ａ）前記駆動増幅器から駆動信号を発生する工程と、
（Ｂ）前記駆動信号を前記増幅経路と前記バイパス経路間で前記第１のスイッチを用いて選択的にスイッチングする工程とを含み、
前記駆動信号が前記スイッチング工程で前記増幅経路にスイッチングされると、前記方法が、
（ａ）前記信号を前記帯域通過フィルタによって帯域通過フィルタリングして、フィルタリング済み信号を発生する工程と、
（ｂ）前記フィルタリング済み信号を前記第１のハイブリッド回路内で同相信号を直交位相信号に分割する工程と、
（ｃ）前記同相信号を前記第１のパワー増幅器で増幅して増幅済み同相信号を発生する工程と、
（ｄ）前記第２のパワー増幅器によって前記直交位相信号を増幅して増幅済み直交位相信号を発生する工程と、
（ｅ）前記増幅済み直交位相信号を前記第２のハイブリッド回路内で反転させて反転済み信号を発生する工程と、
（ｄ）前記反転済み信号と前記増幅済み同相信号を前記第２のハイブリッド回路内で加算して加算済み信号を発生する工程とを含み、
前記駆動信号が前記スイッチング工程で前記バイパス経路にスイッチングされると、前記方法が、
（ａ）前記第１のパワー増幅器と前記第２のパワー増幅器をオフする工程と、
（ｂ）前記駆動信号を前記第２のハイブリッド回路の隔離済みポートに送信する工程と、
（ｃ）前記駆動信号を同相信号と直交位相信号に前記第２のハイブリッド回路内で分割する工程と、
（ｄ）前記同相信号を前記第１の増幅済み信号から反射させる工程と、
（ｅ）前記直交位相信号を前記第２のパワー増幅器から反射させる工程と、
（ｆ）前記反射済み直交位相信号を前記第２のハイブリッド回路内で反転させて反転済み信号を発生する工程と、
（ｇ）前記反転済み信号と前記同相位相信号を前記第２のハイブリッド回路内で加算して加算済み信号を発生する工程と、
（ｈ）前記加算済み信号を出力ポートに出力する工程とをさらに含む、
信号増幅方法。
［４２］前記駆動信号が無線周波数アナログ信号である、上記[２５]に記載の信号増幅方法。
［４３］前記駆動信号が無線周波数アナログ信号である、上記[２６]に記載の信号増幅方法。
［４４］前記回路が、前記バイパス経路上に置かれた第２のスイッチをさらに備え、前記方法が、
前記第２のスイッチを、前記第２のハイブリッド回路の隔離済みポートを終端抵抗に接続するか又は前記第２のハイブリッド回路の隔離済みポートを前記第１のスイッチに接続するか、させるように選択的にスイッチングする工程を、さらに含む、上記[２５]に記載の信号増幅方法。
［４５］前記回路が、前記バイパス経路上に置かれた第２のスイッチをさらに備え、前記方法が、
前記第２のスイッチを、前記第２のハイブリッド回路の隔離済みポートを終端抵抗に接続するか又は前記第２のハイブリッド回路の隔離済みポートを前記第１のスイッチに接続するか、させるように選択的にスイッチングする工程を、さらに含む、上記[２６]に記載の信号増幅方法。
［４６］電源と、ディジタルプロセッサと、受信チェーンと、送信チェーンと、送受切換器と、アンテナと、ユーザーインタフェース手段と、を有するモバイル通信ユニットであり、
前記モバイル通信ユニットが、前記送信チェーンにあるパワー増幅回路装置であり、
前記パワー増幅回路装置が、
アナログ信号を送信する駆動増幅器と、
前記アナログ信号をバイパス経路と増幅経路間で選択的にスイッチングする第１のスイッチとを有し、
前記増幅経路が、
前記アナログ信号をフィルタリングしてフィルタリング済み信号を発生する帯域通過フィルタと、
前記フィルタリング済み信号を受信して増幅済み信号を発生するパワー僧服器と、
前記増幅済み信号を同相信号と直交位相信号に分割する第１のハイブリッド回路と、
前記同相信号を反転させて反転済み信号を発生し、また、前記反転済み信号と前記直交位相信号を加算して加算済み信号を発生する第２のハイブリッド回路と、を含み、
前記第１のスイッチが前記アナログ信号を前記バイパス経路に接続すると、前記バイパス経路が前記駆動増幅器の出力を前記第２のハイブリッド回路の隔離済みポートと接続し、これによって、前記駆動増幅器から送信された前記アナログ信号が前記パワー増幅器から反射されて出力ポートにルーティングされる、
モバイル通信ユニット。
［４７］前記パワー増幅回路装置が、
前記バイパス経路上に置かれた第２のスイッチと、
前記第２のスイッチの極に接続された終端抵抗と、をさらに備え、
前記第２のスイッチが、前記第２のハイブリッド回路の隔離済みポートを、前記第１のスイッチ又は前記終端抵抗と選択的に接続する、上記[４６]に記載のモバイル通信ユニット。
［４８］前記パワー増幅器がオフすると、前記第１のスイッチが前記アナログ信号を前記バイパス経路にスイッチングする、上記[４６]に記載のモバイル通信ユニット。
［４９］電源と、ディジタルプロセッサと、受信チェーンと、送信チェーンと、送受切換器と、アンテナと、ユーザーインタフェース手段と、を有するモバイル通信ユニットにおいて、前記モバイル通信ユニットが、
前記送信チェーンにあるパワー増幅回路装置であり、
前記パワー増幅回路装置が、
アナログ信号を送信する駆動増幅器と、
前記アナログ信号をバイパス経路と増幅経路間で選択的にスイッチングする第１のスイッチを有し、
前記増幅経路が、
前記アナログ信号をフィルタリングしてフィルタリング済み信号を発生する帯域通過フィルタと、
前記フィルタリング済み信号を同相信号と直交位相信号に分割する第１のハイブリッド回路と、
前記同相信号を増幅して第１の増幅済み信号を発生する第１のパワー増幅器と、
前記直交位相信号を増幅して第２の増幅済み信号を発生する第２の増幅器と、
前記第１の増幅済み信号を反転させて反転済み信号を発生し、また、前記反転済み信号と前記第２の増幅済み信号を加算する第２のハイブリッド回路と、を含み、
前記第１のスイッチが前記アナログ信号を前記バイパス経路にスイッチングすると、前記バイパス経路が前記駆動増幅器の出力と前記第２のハイブリッド回路の隔離済みポートを接続する、モバイル通信ユニット。
［５０］前記パワー増幅回路装置が、
前記バイパス経路上に置かれた第２のスイッチと、
前記第２のスイッチの極に接続された終端抵抗と、をさらに含み、
前記第２のスイッチが、前記第２のハイブリッド回路の隔離済みポートを前記第１のスイッチ又は前記終端抵抗に選択的に接続する、上記[４９]に記載のモバイル通信ユニット。
［５１］前記パワー増幅回路装置が、
前記第１のパワー増幅器と前記第２のハイブリッド間に置かれた第１の分流スイッチと、
前記第２のパワー増幅器と前記第２のハイブリッド回路間に置かれた第２の分流スイッチと、をさらに備え、
前記バイパス経路を用いる場合、前記第１と第２の分流スイッチを用いて、それぞれ前記第１と第２のパワー増幅器の出力を分流させる、上記[４９]に記載のモバイル通信ユニット。
【外国語明細書】
2010183641000001.pdf